(57)【要約】      （修正有）【課題】小型袋入りティッシュを入手した際、袋から取り出したティッシュ又は袋入りの状態で手軽にボックス本体内に収納して、ティッシュを一枚ずつ取り出すようにした底上げ式ティッシュボックスを提供する。【解決手段】上部に設けられた開口から折畳みティッシュ３又は袋入りティッシュを積み重ねて収容するボックス本体２と、ボックス本体２の開口を開閉する蓋体９とを有し、ボックス本体２の底部６に立設された弾性部材７によってボックス本体２の内部に積み重ねられた折畳みティッシュ３又は袋入りティッシュ５を上方へ付勢した状態で支持すると共に、ボックス本体２の開口４に取付けた蓋体９でボックス本体２の内部に収容した折畳みティッシュ３又は袋入りティッシュを押え付け、蓋体９に設けられた取出口１０からボックス本体内に収容したティッシュを一枚ずつ取り出すことを可能とした。【選択図】図１
0003141190.tif 000002
【実用新案登録請求の範囲】
【請求項１】
折畳みティッシュ又は折畳みティッシュを収容した袋入りティッシュを収納するティッシュボックスにおいて、上部に設けられた開口から折畳みティッシュ又は袋入りティッシュを積み重ねて収容するボックス本体と、ボックス本体の開口を開閉する蓋体とを有し、ボックス本体の底部に立設された弾性部材によってボックス本体の内部に積み重ねられた折畳みティッシュ又は袋入りティッシュを上方へ付勢した状態で支持すると共に、ボックス本体の開口に取付けた蓋体でボックス本体の内部に収容した折畳みティッシュ又は袋入りティッシュを押え付け、蓋体に設けられた取出口からボックス本体内に収容したティッシュを一枚ずつ取り出すようにしたことを特徴とする底上げ式ティッシュボックス。
【請求項２】
弾性部材はコイル状のバネ部材又は弾性を有するスポンジからなることを特徴とする請求項１記載の底上げ式ティッシュボックス。
【請求項３】
弾性部材の上部には、横に寝かした折畳みティッシュを載置するための底上げ板が設けられていることを特徴とする請求項１又は２記載の底上げ式ティッシュボックス。
【請求項４】
蓋体に設けられた取出口は、ボックス本体の内部に積み重ねた最上部の折畳みティッシュの端部を露出し得る形状としたことを特徴とする請求項１、２又は３記載の底上げ式ティッシュボックス。
【請求項５】
蓋体に設けられた取出口は、ボックス本体の内部に積み重ねた最上部の袋入りティッシュの切り口を全部又は中央から所定幅だけ露出し得る形状としたことを特徴とする請求項１、２又は３記載の底上げ式ティッシュボックス。
【考案の詳細な説明】
【技術分野】
【０００１】
本考案は、小型袋入りティッシュ（所謂「ポケットティッシュ」（登録商標））を入手した際、袋から取り出したティッシュ又は袋入りの状態でティッシュを手軽にボックス内に収納して、一枚ずつ取り出すことができる底上げ式ティッシュボックスに関する。
【背景技術】
【０００２】
近時においては、路上や店頭等で宣伝用に配布している小型袋入りティッシュを入手できる機会が多くなっている。また、この袋入りティッシュは小型であるため、携帯性が良く、旅行等の際にも商店等で買い求めて使用することがある。このような袋入りティッシュを入手した後は、個々の袋ごとに切り口を開口し、内部のティッシュを切り口から一枚ずつ摘み出すことによって使用することとなる。
【０００３】
ところが、このような袋入りティッシュの保管方法としては、袋に入れた状態で適当に積み重ねておくか、箱等に収納しておく等の方法が一般的であり、部屋や引出し内に散在した状態となるのが現状であった。
【０００４】
このような事情に鑑みて、特許文献１には、ポケットティッシュを大量に収納でき、１枚のティッシュを取り出すとスプリングによって次のティッシュが繰り出される繰出し式ポケットティッシュボックスが案出されている。
【０００５】
ところが、この繰出し式ポケットティッシュボックスは、ボックス本体の内部に設けられたスプリングの取付け構造がレール棒を必要とするものであり、また、ティッシュの取出口が、正面から見て上部分と下部分の幅を広くし、中央部分に向かうにつれて括れた形状にされているものであり、使用の際には、ティッシュを上方向から摘み、下方向に抜き取るというものであって、簡易に構成されているものではなかった。また、この文献の繰出し式ポケットティッシュボックスは、袋入りティッシュの中身を取り出して、ボックス本体の内部に個々のティッシュを配列する必要があるため、使用前に面倒な作業を必要とするものであった。
【特許文献１】特開２００４―３３１２１４号公報
【考案の開示】
【考案が解決しようとする課題】
【０００６】
本考案は、上記の事情に鑑みてなされたもので、小型袋入りティッシュを入手した際、袋から取り出したティッシュ又は袋入りの状態で手軽にボックス本体内に収納して、ティッシュを一枚ずつ取り出すようにした底上げ式ティッシュボックスを提供することを目的とする。
【課題を解決するための手段】
【０００７】
上記の目的を達成するために、本考案の請求項１の底上げ式ティッシュボックスは、折畳みティッシュ又は折畳みティッシュを収容した袋入りティッシュを収納するティッシュボックスにおいて、上部に設けられた開口から折畳みティッシュ又は袋入りティッシュを積み重ねて収容するボックス本体と、ボックス本体の開口を開閉する蓋体とを有し、ボックス本体の底部に立設された弾性部材によってボックス本体の内部に積み重ねられた折畳みティッシュ又は袋入りティッシュを上方へ付勢した状態で支持すると共に、ボックス本体の開口に取付けた蓋体でボックス本体の内部に収容した折畳みティッシュ又は袋入りティッシュを押え付け、蓋体に設けられた取出口からボックス本体内に収容したティッシュを一枚ずつ取り出すようにしたことを特徴とする。
【０００８】
また、本考案における請求項２の底上げ式ティッシュボックスは、請求項１において、弾性部材はコイル状のバネ部材又は弾性を有するスポンジからなることを特徴とする。
【０００９】
また、本考案における請求項３の底上げ式ティッシュボックスは、請求項１又は２において、弾性部材の上部には、横に寝かした折畳みティッシュを載置するための底上げ板が設けられていることを特徴とする。
【００１０】
また、本考案における請求項４の底上げ式ティッシュボックスは、請求項１、２又は３において、蓋体に設けられた取出口は、ボックス本体の内部に積み重ねた最上部の折畳みティッシュの端部を露出し得る形状としたことを特徴とする。
【００１１】
さらに、本考案における請求項５の底上げ式ティッシュボックスは、請求項１、２又は３において、蓋体に設けられた取出口は、ボックス本体の内部に積み重ねた最上部の袋入りティッシュの切り口を全部又は中央から所定幅だけ露出し得る形状としたことを特徴とする。
【考案の効果】
【００１２】
本考案の底上げ式ティッシュボックスは、小型袋入りティッシュを入手した際、袋から取り出したティッシュを積層状態にしたもの、又は袋入りティッシュを袋入りの状態で手軽にボックス内に収納し、このボックス本体に蓋体を閉じると、ボックス本体の内部に設けられた弾性体のバネ力によってボックス本体内のティッシュまたは袋入りティッシュが底上げ式に蓋体の下面に当接した状態に到ることとなる。この状態で蓋体の取出口に露呈した最上部のティッシュを摘み出すことによって、ボックス本体に収容したティッシュを一枚ずつ取り出すことが可能となる。
【００１３】
なお、ボックス本体の内部に袋入りティッシュを袋入りの状態で収容した場合、袋の切込口を開けることによって、その内部のティッシュを露呈し、ティッシュを一枚ずつ取り出すことが可能となる。このように本考案によるティッシュボックスは袋入りティッシュを袋入りの状態でそのままボックス内に収納することも可能であるため、入手した小型袋入りティッシュを整理し、利用するのに利便となる。
【００１４】
また、本考案の底上げ式ティッシュボックスは、非常に簡単な構造であって、安価に製造することができ、ボックス本体や蓋体に絵柄を付けて安価に販売することができ、またボックス本体や蓋体に宣伝内容等を表示してサービス品として提供することにより、本考案によるティッシュボックスを入手した者は散在しがちな小型袋入りティッシュを簡単に整理し、利便に使用することが可能となる。
【考案を実施するための最良の形態】
【００１５】
以下、本考案の実施例について図面を参照しながら説明する。
【実施例１】
【００１６】
図１は、本考案による底上げ式ティッシュボックス１の一実施例を透視的に示す斜視図であり、ボックス本体２の内部に折畳みティッシュ３を収納した状態を示す。この折畳みティッシュ３は、一般的には「ポケットティッシュ」（登録商標）と称せられ、折畳んだ状態で、通常１０ｃｍ×７．５ｃｍの大きさのものが一般的に周知である。ただし、市販のポケットティッシュにはこれ以外の大きさの小型ティッシュも存在する。従って、本考案の底上げ式ティッシュボックスは、折畳みティッシュ３の大きさに特定されるものではない。
【００１７】
図１において、ボックス本体２は、折畳みティッシュ３を横に寝かした状態で積み重ねたものを収容することが可能な形状を有し、ボックス本体２の上部には開口４（図２参照）が設けられ、この開口４から折畳みティッシュ３又は袋入りティッシュ５を積み重ねて収容することができる。
【００１８】
また、ボックス本体２の底部６には弾性部材７が立設されている。図１に示す弾性部材７としては、コイルバネ７ａ（図７（ａ）参照）が使用されているが、図７（ｂ）に示すように弾性を有するスポンジ７ｂを使用してもよい。このスポンジ７ｂは図示の円柱形立方体のほか四角形立方体に形成されたものを使用してもよい。いずれにしても弾性部材７は下部をボックス本体２の底部６に固定するのが望ましい。
【００１９】
また、弾性部材７としてコイルバネ７ａを使用した場合、図１又は図７（ａ）に示すように、コイルバネ７ａの上部に底上げ板８を設けるのが望ましい。この底上げ板８は、折畳みティッシュ３を横に寝かした状態で載置するものであり、折畳みティッシュ３を寝かした状態に保持し得る形状とするのが望ましい。ただし、底上げ板８は、ボックス本体２内で上下方向に移動することができる大きさとする必要がある。
【００２０】
なお、弾性部材７としてスポンジ７ｂを使用した場合、スポンジ７ｂの上面を平坦に形成すれば、底上げ板８を使用しなくても折畳みティッシュ３を寝かした状態で載置することが可能である。ただし、スポンジ７ｂの場合でも、底上げ板８を使用することは可能である。
【００２１】
図２に示すように、上記のように構成されたボックス本体２の内部に開口４から折畳みティッシュ３を積み重ねた状態に投入し、これによって底上げ板８の上面に積層された折畳みティッシュ３がボックス本体２の上端から越した状態であっても、図１に示すように、折畳みティッシュ３の上面を蓋体９で押え付けた状態でボックス本体２の開口４（図２参照）を閉じることによって、積層された折り畳みティッシュ３はボックス本体２の内部に収納された状態となり、弾性部材７の上方へのバネ力が作用することによって、積層された折畳みティッシュ３の最上面が底上げ式に蓋体９の下面に当接した状態となる。
【００２２】
上記のように、ボックス本体２の開口４に取付けられた蓋体９が、弾性部材７の上方へのバネ力によって、ボックス本体２の内部の折り畳みティッシュ３に押し上げられないようにするため、蓋体９はボックス本体２の開口４に対してある程度の固定力を有する必要がある。従って、ボックス本体２の開口４に取付けた蓋体９をボックス本体２に対して不図示の接着テープ等で貼り付けたりするという手段も適用可能であるが、構成を簡易にするため、蓋体９をボックス本体２の上部外周に対して摩擦力で固定する構成としてよい。このため、蓋体９の内側側面とボックス本体２の上部外周に微細な凹凸（不図示）を設けてもよい。
【００２３】
また、本実施例において、蓋体９はボックス本体２の開口４から完全に離脱する形状とすることによって、ボックス本体２の開口４に着脱自在な構成としているが、後述するように蓋体９の一側をボックス本体２の開口４の一側に折曲可能に結合した構造とすることによって、片開き式に開閉自在な蓋体９としてもよい。
【００２４】
上記のように、蓋体９は種々の構成が適用可能であるが、いずれにしても、図１に示すようにボックス本体２に設けられた取出口１０にボックス本体２の内部に収容してある最上部のティッシュ３の端部３ａが露呈し、この端部３ａを摘み上げることによってティッシュ３を一枚ずつ取り出すことができる。
【００２５】
上記の本実施例の底上げ式ティッシュボックス１において、蓋体９に設けられた取出口１０としては、図１、図２又は図７（ａ）に示すように、蓋体９の一側から他側に向かって山形に凸の形状（山形１０ａ）とすることによって、この取出口１０から内部に寝かした折畳みティッシュ３の端部３ａを露出し得る形状としてもよい。また、図４、図５又は図７(ｂ)に示すように、ボックス本体２の内部に積み重ねた最上部の袋入りティッシュ５の切り口５ａを全部又は中央から所定幅だけ露出し得る形状として、図示の菱形１０ｂや楕円形等の形状としてもよい。
【００２６】
上記の構成によって、本実施例の底上げ式ティッシュボックス１は、図１又は図２に示すように、袋入りティッシュ５から取り出した折畳みティッシュ３をボックス本体２の内部に収納することもできる。また、図４又は図５に示すように、折畳みティッシュ３を袋入り状態のまま投入して収納することも可能であり、折畳みティッシュ３を袋から取り出す手間を要せず、非常に手軽にボックス本体２の内部に収納することができ、しかも一枚ごとのティッシュ３を簡便に取り出すことが可能となる。
【００２７】
さらに、図８（ａ）、（ｂ）に示す他の実施例について説明する。この実施例の底上げ式ティッシュボックス１は、ボックス本体２の蓋体９を片開き構成とし、この蓋体９を開くことによってボックス本体２の開口４から折畳みティッシュ３または袋入りティッシュ５を投入してボックス本体２の内部に収納することを可能としたものであり、蓋体９の上面に設けられた取出口１０から折畳みティッシュ３を一枚ずつ摘み上げて取り出すことができるようにしたものである。
【００２８】
なお、蓋体９の取出口１０は、一例として楕円形１０ｃとしてあるが、上記のように菱形等による形状としてもよい。また、ボックス本体２の内部には、不図示であるが、上記のコイルバネ７ａ又はスポンジ７ｂ等による弾性部材７を設け、必要であれば弾性部材７の上部に底上げ板８を設けた構成としている。
【００２９】
このようなティッシュボックス１においては、例えば１枚の厚紙にボックス本体２と蓋体９とを連続した展開形状に形成し、これを切り抜いて組み立てることにより、全体構成を廉価に作製することができる。また、ボックス本体２の開口４の両端に折曲片１１ａ、１１ｂを形成すると共に、片開き式の蓋体９の三辺に折曲片１２ａ、１２ｂ、１２ｃを形成し、ボックス本体２の開口４の両側折曲片１１ａ、１１ｂの折曲部に沿って切抜線１３ａ、１３ｂを形成した構成とすることも可能である。
【００３０】
こうすることによって、蓋体９を閉じたとき、蓋体９の前側に形成された折曲片１２ｂをボックス本体２とその内部に積層された折畳みティッシュ３または袋入りティッシュ５との間に差し込むと共に、蓋体９の両辺に形成された折返片１２ａ、１２ｃを切抜線１３ａ、１３ｂに差し込むことによって、ボックス本体２の内部の積層された折畳みティッシュ３または袋入りティッシュ５が弾性部材７（図１又は図４参照）のバネ力によって上方へ押し上げられても、蓋体９でボックス本体２の開口４を閉じた状態に保つことが可能となる。
【産業上の利用可能性】
【００３１】
本考案の底上げ式ティッシュボックスは、小型袋入りティッシュを入手した際、袋から取り出したティッシュ又は袋入りの状態で手軽にボックス本体内に収納して、ティッシュを一枚ずつ取り出すようにした底上げ式ティッシュボックスとして使用することが可能である。
【図面の簡単な説明】
【００３２】
【図１】本考案による底上げ式ティッシュボックスの一実施例を透視的に示す斜視図である。
【図２】本考案による底上げ式ティッシュボックスの一実施例における蓋体を取り、積層した折畳みティッシュを投入している状況を透視的に示す斜視図である。
【図３】本考案による底上げ式ティッシュボックスの使用状況を示す斜視図である。
【図４】本考案による底上げ式ティッシュボックスの他の実施例を透視的に示す斜視図である。
【図５】本考案による底上げ式ティッシュボックスの他の実施例における蓋体を取り、積層した折畳みティッシュを投入している状況を透視的に示す斜視図である。
【図６】本考案による底上げ式ティッシュボックスの他の実施例の使用状況を示す斜視図である。
【図７】（ａ）、（ｂ）は、本考案による底上げ式ティッシュボックスの弾性体及び蓋体の取出口に関する態様を示す平面図及び側面図である。
【図８】（ａ）、（ｂ）は、本考案による底上げ式ティッシュボックスの蓋体を片開き構成で開閉することができるようにした他の実施例に関する図であり、(ａ)は蓋体を開けた状態を示す斜視図、（ｂ）は蓋体を閉じた状態で１枚のティッシュを摘み上げている状況を示す斜視図である。
【符号の説明】
【００３３】
１  ティッシュボックス
２  ボックス本体
２ａ  凹部
３  折畳みティッシュ
３ａ  折畳みティッシュの端部
４  開口
５  袋入りティッシュ
５ａ  切り口
６  底部
７  弾性部材
７ａ  コイルバネ
７ｂ  スポンジ
８  底上げ板
９  蓋体
１０  取出口
１０ａ  山形の取出口
１０ｂ  菱形の取出口
１０ｃ  楕円形の取出口
１１ａ、１１ｂ  ボックス本体側の折曲片
１２ａ、１２ｂ、１２ｃ  蓋体側の折曲片
１３ａ、１３ｂ  切抜線
【図１】
0003141190.tif 000003
【図２】
0003141190.tif 000004
【図３】
0003141190.tif 000005
【図４】
0003141190.tif 000006
【図５】
0003141190.tif 000007
【図６】
0003141190.tif 000008
【図７】
0003141190.tif 000009
【図８】
0003141190.tif 000010